(57)【要約】【課題】被覆電線内の電線と接続端子を確実に電気的に接続することができる被覆電線接続コネクタを提供する。【解決手段】被覆電線接続コネクタ１０は、被覆電線（第１被覆電線Ｌ１、第２被覆電線Ｌ２）を保持するための保持部（第１保持部１１１、第２保持部１１２）と、導電性の材料から成り、前記保持部に保持された前記被覆電線に突き刺し可能な尖状部（第１尖状部１２１、第２尖状部１２２）と、前記保持部に保持される被覆電線の所定位置に所定方向から前記尖状部が突き刺さるように、該尖状部又は該被覆電線を誘導する誘導部（第１誘導部１３１、第２誘導部１３２）とを有する。保持部に保持された被覆電線に尖状部を突き刺すことにより、被覆電線内の電線と接続端子である尖状部を確実に電気的に接続することができる。【選択図】図１
2020035559.tif 000002
【特許請求の範囲】
【請求項１】
a) 被覆電線を保持するための保持部と、
b) 導電性の材料から成り、前記保持部に保持された前記被覆電線に突き刺し可能な尖状部と、
c) 前記保持部に保持された被覆電線の所定位置に所定方向から前記尖状部が突き刺さるように、該尖状部又は該保持部を誘導する誘導部と
を備えることを特徴とする被覆電線接続コネクタ。
【請求項２】
さらに、前記尖状部が被覆電線に刺入されている状態で、前記尖状部と前記保持部の相対的位置を固定する固定部を備えることを特徴とする請求項１に記載の被覆電線接続コネクタ。
【請求項３】
前記保持部が、被覆電線の外周面に少なくとも２方向から当接する当接凹面を有し、
前記誘導部が、前記当接凹面の底部に垂直なガイド部と、前記尖状部を保持し前記ガイド部に沿って移動するスライド部とを有する
ことを特徴とする請求項１に記載の被覆電線接続コネクタ。
【請求項４】
前記尖状部が、前記当接凹面に対向して配置された、該当接凹面の底部と平行な刃先を有する刃状のものであることを特徴とする請求項３に記載の被覆電線接続コネクタ。
【請求項５】
さらに、前記尖状部が被覆電線に突き刺されている状態で、前記尖状部と前記保持部の相対的位置を固定する固定部を備え、
該固定部が、前記ガイド部の表面において前記当接凹面の底部に垂直に並んで複数設けられた爪係止部と、前記スライド部に設けられ前記ガイド部の前記表面に付勢される爪部とを備える
ことを特徴とする請求項３又は４に記載の被覆電線接続コネクタ。
【請求項６】
さらに、前記尖状部を挟むように設けられた、該尖状部と一体的に移動する保護部材を備え、
前記保護部材が、前記当接凹面に保持された被覆電線の外周面に前記尖状部とがともに接触し、前記尖状部が前記被覆電線に刺入されると変形して前記当接凹面との間で前記被覆電線を保持するように構成されている
ことを特徴とする請求項３〜５のいずれかに記載の被覆電線接続コネクタ。
【請求項７】
前記保持部が、頂部に形成された挿通孔と、該挿通孔から放射状に延びる複数の切れ目を有する、弾性変形可能な錐面状の保持部材から成り、
前記尖状部が、前記保持部材の頂部と対向する側に配置された針状部材から成る
ことを特徴とする請求項１に記載の被覆電線接続コネクタ。
【請求項８】
さらに、前記針状部材の側方に、前記保持部側に刃先を有する被覆部切断刃を備えることを特徴とする請求項７に記載の被覆電線接続コネクタ。
【請求項９】
さらに、
前記保持部材及び前記針状部材を覆う筒状の保護具と、
前記保護具の前記一端に装着される、弾性材料から成る蓋と、
前記蓋に設けられた、被覆電線を挿通させる孔と
を備えることを特徴とする請求項７又は８に記載の被覆電線接続コネクタ。
【発明の詳細な説明】
【技術分野】
【０００１】
本発明は、ビニール等から成る被覆材で覆われた被覆電線同士を電気的に接続するコネクタに関する。
【背景技術】
【０００２】
従来より、被覆電線同士を電気的に接続するコネクタが多数知られている。そのようなコネクタには、コネクタが有する電気接点に被覆電線内の電線（通常は、複数の金属線を束ねたストレート電線、又は複数の金属線を撚り合わせた撚電線。以下、単に「電線」と記載されているときは、被覆電線内の電線を意味する。）を接続する際に被覆電線の被覆材の一部を剥がして電線を露出させる作業を行わなければならないものがある。そのようなコネクタは、被覆材を剥がす作業に手間を要するうえに、そのような作業中に誤って電線を切断してしまうおそれがある、という問題がある。また、被覆材を完全に剥がすことができず、電気的な接触不良が生じる、という問題もある。
【０００３】
それに対して特許文献１、２には、被覆電線同士を電気的に接続する作業の前に作業者が被覆材を剥がす作業を行う必要が無いコネクタが記載されている。
【０００４】
特許文献１に記載のコネクタは、被覆電線の内部の電線の径よりも僅かに幅が狭い溝が形成された通電壁と、該通電壁と電気的に接続されたコンタクト部とを有している。通電壁の溝に被覆電線を圧入すると該被覆電線の被覆材が剥離して電線が露出し、該電線と通電壁が電気的に接続される。従って、2個のコネクタの通電壁の溝にそれぞれ1本ずつ被覆電線を圧入したうえで、それら2個のコネクタのコンタクト部同士を接続することにより、2本の被覆電線を電気的に接続することができる。
【０００５】
特許文献２に記載のコネクタは、電線載置部を有するコネクタハウジングと、コネクタハウジングの上部開口を覆うハウジングカバーを有している。電線載置部は、断面が半円弧状又はＶ字状の溝を有している。また、ハウジングカバーの下面には、導電性の材料から成る電線接続針が取り付けられている。電線接続針は、ハウジングカバーの下面に固定された端子接触部とハウジングカバーの下面から斜め下方に突出する突刺針部を有している。
【０００６】
このコネクタでは、被覆電線の先端付近を電線載置部の溝に載置し、突刺針部が被覆電線の側部に進入するようハウジングカバーをコネクタハウジングに取り付ける。これにより、突刺針部が被覆電線に突き刺さり、該突刺針部と電線が接触して電線接続針と電線が電気的に接続される。ハウジングカバーは、それに設けられた突起がコネクタハウジングに設けられた穴に係合することによりコネクタハウジングに固定され、それによって突刺針部と被覆電線の相対的な位置も固定される。突刺針部は、電線に接触することにより電気的に接続される。
【先行技術文献】
【特許文献】
【０００７】
【特許文献１】特開2012-129125号公報
【特許文献２】特開2014-022274号公報
【発明の概要】
【発明が解決しようとする課題】
【０００８】
特許文献１に記載のコネクタでは、被覆電線の電線が規定よりも細かったり、柔らかすぎるために溝に沿って細長く変形してしまうと、通電壁の溝で被覆材を剥離させることができず、電線と通電壁（接続端子）を電気的に接続することができないことがある。
【０００９】
特許文献２に記載のコネクタでは、突刺針部がハウジングカバーの下面から突出した方向に合わせて該ハウジングカバーをコネクタハウジングに取り付ける必要があるが、このコネクタではハウジングカバーを取り付ける方向を人の手で調整しなければならず、その方向がずれると、突刺針部が被覆電線に刺さらない、あるいは、刺さったとしても突刺針部と電線が接触しないか接触不良となる、という問題が生じる。
【００１０】
本発明が解決しようとする課題は、被覆電線内の電線と接続端子を確実に電気的に接続することができるコネクタを提供することである。
【課題を解決するための手段】
【００１１】
上記課題を解決するために成された本発明に係る被覆電線接続コネクタは、
a) 被覆電線を保持するための保持部と、
b) 導電性の材料から成り、前記保持部に保持された前記被覆電線に突き刺し可能な尖状部と、
c) 前記保持部に保持された被覆電線の所定位置に所定方向から前記尖状部が突き刺さるように、該尖状部又は該保持部を誘導する誘導部と
を備えることを特徴とする。
【００１２】
本発明に係る被覆電線接続コネクタでは、被覆電線を保持部に保持した状態で、尖状部又は保持部を誘導部によって誘導すると、尖状部は被覆電線の所定位置に所定方向から接近し、やがて尖状部が被覆電線に突き刺さる。この状態でさらに尖状部と被覆電線を接近させると、尖状部は被覆電線内（被覆部よりも内側）の電線の内部にまで刺入され、尖状部（接続端子）と電線が電気的に接続される。
【００１３】
上記被覆電線接続コネクタは、さらに前記尖状部に電気的に接続された外部接続端子を備えることが好ましい。外部接続端子は、例えば、或る被覆電線接続コネクタと別の被覆電線接続コネクタを電気的に接続するためのものである。この構成では、或る被覆電線接続コネクタの尖状部が刺入された被覆電線（これを「第１被覆電線」とする。）と、別の被覆電線接続コネクタの尖状部に刺入された被覆電線（これを「第２被覆電線」とする。）を電気的に接続することができる。
【００１４】
あるいは、1個の被覆電線接続コネクタに、互いに電気的に接続された2個の尖状部（第１尖状部及び第２尖状部）を設け、第１被覆電線に第１尖状部を、第２被覆電線に第２尖状部を、それぞれ刺入するようにしてもよい。
【００１５】
前記所定位置、すなわち尖状部を突き刺す位置は、被覆電線の側部であってもよいし、端部であってもよい。当該位置が被覆電線の側部である場合には、当該位置から尖状部を刺入することにより電線と接触する。当該位置が被覆電線の端部である場合には、尖状部は該端部に露出した電線に接触する。
【００１６】
本発明に係る被覆電線接続コネクタにおいて、前記尖状部が被覆電線に刺入されている状態で、前記尖状部と前記保持部の相対的位置を固定する固定部を備えることが望ましい。これにより、尖状部が被覆電線から抜けることを防ぐことができる。
【００１７】
本発明に係る被覆電線接続コネクタにおいて、
前記保持部が、被覆電線の外周面に少なくとも２方向から当接する当接凹面を有し、
前記誘導部が、前記当接凹面の底部に垂直なガイド部と、前記尖状部を保持し前記ガイド部に沿って移動するスライド部とを有する
という構成を取ることができる。ここで当接凹面は断面がＶ字状のものや、曲面状のもの等、種々の形状を取り得る。
【００１８】
この構成によれば、被覆電線は、その外周面に少なくとも２方向から当接凹面が当接した状態で保持部に保持される。このように被覆電線が保持部に保持された状態で、スライド部をガイド部に沿って保持部側に向かって移動させることにより、被覆電線の側部の所定位置に所定方向から尖状部が接近するように、該尖状部を誘導することができる。
【００１９】
これら当接凹面を有する保持部、及びガイド部とスライド部とを有する誘導部を備える構成において、前記尖状部は、前記当接凹面に対向して配置された、該当接凹面の底部と平行な刃先を有する刃状のものである、という構成を取ることが好ましい。この構成によれば、被覆電線に刺入された尖状部と被覆電線内の電線との接触面積が大きくなり、両者をより確実に電気的に接触させることができる。
【００２０】
また、上記当接凹面を有する保持部、及びガイド部とスライド部とを有する誘導部を備える構成において、前記ガイド部の表面において前記当接凹面の底部に垂直に並んで複数設けられた爪係止部と、前記スライド部に設けられ前記ガイド部の前記表面に付勢される爪部とを備える、という構成を取ることが好ましい。この構成によれば、スライド部をガイド部に沿って保持部側に向かって移動させて尖状部を被覆電線に刺入した状態で、複数の爪係止部のうちの1つに爪部が係止されることにより、尖状部が被覆電線から抜けることを防ぐことができる。
【００２１】
上記当接凹面を有する保持部、及びガイド部とスライド部とを有する誘導部を備える構成において、さらに、前記尖状部を挟むように設けられた、該尖状部と一体的に移動する保護部材を備え、前記保護部材が、前記当接凹面に保持された被覆電線の外周面に前記尖状部とがともに接触し、前記尖状部が前記被覆電線に刺入されると変形して前記当接凹面との間で前記被覆電線を保持するように構成されていることが好ましい。この構成によれば、尖状部が保護部材で挟まれていることにより、作業者が誤って尖状部の刃先に手を近づけても怪我をすることが防止される。また、尖状部と共に保護部材を保持部側に向かって移動させて尖状部を被覆電線に突き刺した際に、保持部に保持された被覆電線の外周面に保護部材が接触する。これにより、被覆電線が当接凹面に加えて保護部材によっても保持されるため、尖状部をより確実に被覆電線の所定位置に突き刺すことができる。
【００２２】
本発明に係る被覆電線接続コネクタにおいて、
前記保持部が、頂部に形成された挿通孔と、該挿通孔から放射状に延びる複数の切れ目を有する、弾性変形可能な錐面状の保持部材から成り、
前記尖状部が、前記保持部材の頂部と対向する側に配置された針状部材から成る
という構成を取ることができる。
【００２３】
この構成では、錐面状の保持部材の挿通孔に、該挿通孔の内径よりも大きな外径の被覆電線を押し込む。すると、保持部材の切れ目が拡がり、被覆電線が挿通孔に挿通される。この状態で被覆電線をさらに押し込むとその端部が尖状部に接近し、該端部に尖状部が突き刺さるため、電線と尖状部が電気的に接触する。ここで挿通孔は、その周囲の放射状に延びる複数の切れ目を有するため、挿通孔に押し込まれた被覆電線は、切れ目と切れ目の間の部分に案内されて真っ直ぐ（つまり、錐面状の保持部材の中心軸方向に沿って）尖状部に接近する。したがって、保持部材の挿通孔及び切れ目は、誘導部の役割を有する。また、挿通孔に被覆電線が挿通されることによって頂部付近の切れ目が拡がるように保持部材が弾性変形して被覆電線の側面に押しつけられるため、保持部材は固定部としての役割も有する。
【００２４】
前記錐面状の保持部材と前記針状部材から成る尖状部とを有する被覆電線接続コネクタにおいて、さらに、前記針状部材の側方に、前記保持部材側に刃先を有する被覆部切断刃を備えることができる。この構成では、被覆電線を挿通孔に挿通してその端部に尖状部（針状部材）を突き刺すと、被覆電線が被覆部切断刃の刃先に達したときに、被覆電線の端部の被覆部が被覆部切断刃によって切断される。これにより、被覆電線の端部に針状部材を突き刺したときに該端部の電線を押し広げることができるため、針状部材を被覆電線の端部により深く刺入することができる。また、針状部材と電線の接触面積を大きくすることができ、それにより大電力の送電に対応することができる。なお、被覆電線が細い場合には被覆電線が被覆部切断刃に届かず被覆部が切断されないことがあるが、そのような細い被覆電線を用いる場合には通常は大電力を取り扱わないうえに、保持部材が固定部としての役割を有することによって尖状部が刺入された状態を確実に維持することができるため、問題はない。
【００２５】
前記錐面状の保持部材と前記針状部材から成る尖状部とを有する被覆電線接続コネクタにおいて、さらに、
前記保持部材及び前記針状部材を覆う筒状の保護具と、
前記保護具の前記一端に装着される、弾性材料から成る蓋と、
前記蓋に設けられた、被覆電線を挿通させる孔と
を備える、という構成を取ることができる。これにより、保護具内、特に電線と電気的に導通する針状部材の周辺に水等が侵入することを防ぐことができる。
【発明の効果】
【００２６】
本発明に係る被覆電線接続コネクタによれば、被覆電線内の電線と接続端子を確実に電気的に接続することができる。
【図面の簡単な説明】
【００２７】
【図１】本発明に係る被覆電線接続コネクタの第１実施形態を示す側面一部透視図。
【図２】第１実施形態の被覆電線接続コネクタ中の爪係止部及び爪部、並びに指掛け部等を示す断面図(a)及び上面図(b)。
【図３】第１実施形態の被覆電線接続コネクタ中の第１尖状部等を示す上面図。
【図４】第１実施形態の被覆電線接続コネクタにおいて、可撓板が第１被覆電線の外周面に接触した状態を示す図。
【図５】第１実施形態の被覆電線接続コネクタにおいて第１尖状部を第１被覆電線に、第２尖状部を第２被覆電線に、それぞれ突き刺した状態を示す図。
【図６】第１保持部（(a-1)〜(a-3)）及び第２保持部（(b-1)〜(b-3)）に様々な径の被覆電線が保持されている状態を示す図。
【図７】本発明に係る被覆電線接続コネクタの第２実施形態を示す断面図。
【図８】第２実施形態の被覆電線接続コネクタにおいて第１尖状部を第１被覆電線に、第２尖状部を第２被覆電線に、それぞれ突き刺し、さらに雄連結部と雌連結部を連結した状態を示す図。
【図９】本発明に係る被覆電線接続コネクタの変形例を示す概略図。
【図１０】本発明に係る被覆電線接続コネクタの他の変形例を示す概略図(a)、及び該変形例の動作を示す部分拡大図(b)。
【図１１】本発明に係る被覆電線接続コネクタの他の変形例を示す概略図(a)、及び該変形例の動作を示す部分拡大図(b)。
【図１２】本発明に係る被覆電線接続コネクタの他の変形例を示す概略図(a)、及びその主要部を示す上面図。
【図１３】第１及び第２実施形態の被覆電線接続コネクタから被覆電線を取り外す際に使用する取り外し具を、被覆電線接続コネクタの保護筒と共に示す図。
【発明を実施するための形態】
【００２８】
図１〜図１３を用いて、本発明に係る被覆電線接続コネクタの実施形態を説明する。
【００２９】
(1) 第１実施形態
(1-1) 第１実施形態の被覆電線接続コネクタの構成
まず、図１〜図３を参照して、第１実施形態の被覆電線接続コネクタ１０の構成を説明する。被覆電線接続コネクタ１０は、2本の被覆電線（第１被覆電線Ｌ１及び第２被覆電線Ｌ２）を電気的に接続するためのものであり、第１保持部１１１、第２保持部１１２、第１尖状部１２１、第２尖状部１２２、第１誘導部１３１、第１固定部１４１、可撓板１５１及び保護筒１５２を有している。なお、図１では、第２保持部１１２及び保護筒１５２の内部を透視して示している。以下、各部を説明する。
【００３０】
第１保持部１１１は、側面視して2つの平面が所定の角度（本実施形態では90°）で交差する断面Ｖ字状の当接凹面１１１１を有する。第１保持部１１１には、第１被覆電線Ｌ１が、図１の紙面に垂直な方向に配置された状態で保持される。このとき、第１被覆電線Ｌ１の外周面に、第１保持部１１１の当接凹面１１１１の2つの平面がそれぞれ（2方向から）当接する。
【００３１】
第１誘導部１３１はガイド部１３１１とスライド部１３１２とを有している。ガイド部１３１１は、当接凹面１１１１の底部に垂直な方向（図１の左右方向）に延びる細長い板状部材から成る。スライド部１３１２はガイド部１３１１に挿通された、ガイド部１３１１に沿って移動可能な筒状部１３１２ａと、筒状部１３１２ａの側端部から該筒状部１３１２ａと垂直な方向に延びる支持板部１３１２ｂから成る。スライド部１３１２は、第１尖状部１２１を保持しており、該スライド部１３１２をガイド部１３１１に沿ってスライドさせると、それと同じ方向に第１尖状部１２１も移動するようになっている。これにより、第１保持部１１１に保持される被覆電線の側部の所定位置に、当接凹面１１１１の底部（及び第１誘導部１３１に保持される第１被覆電線Ｌ１）の長手方向に垂直な方向から接近させるように、第１尖状部１２１が誘導される。
【００３２】
第１固定部１４１は、ガイド部１３１１の上面に形成された爪係止部１４１１と、筒状部１３１２ａに取り付けられた爪部１４１２を有している。図１では爪部１４１２の周囲にある一部分のみを図示している、図２(a)及び図２(b)に示すように、爪係止部１４１１はガイド部１３１１の周囲部を除く上面に、該ガイド部１３１１の長手方向に複数並んで設けられたノッチから成る。爪係止部１４１１の各ノッチは、ガイド部１３１１の表面に対して垂直な面と傾斜する面からなる断面Ｖ字状の溝からなり、傾斜面が、第１保持部１１１側に位置するように該第１保持部１１１の表面に形成されている。爪部１４１２は、先端部よりも基端部寄りの位置で筒状部１３１２ａの第１保持部１１１側の端部に支持された可撓性を有する部材から成り、先端部がノッチの１つに係止されるように付勢されている。このような構成により、スライド部１３１２は、ノッチを爪部１４１２が乗り越えることで容易に第１保持部１１１側に移動させることができるのに対して、第１保持部１１１の反対側には容易に移動しないようになっている。
【００３３】
第１尖状部１２１は、スライド部１３１２の支持板部１３１２ｂの第１保持部１１１側の面に取り付けられた金属（導電性の材料）製の扁平な刃から成り、図３（上面図）に示すように、当接凹面１１１１の底部（Ｖ字の最下部。2つの平面が交差する線。）と平行な刃先１２１１を有する。従ってこの刃先１２１１は、第１保持部１１１に保持された第１被覆電線Ｌ１と平行となる。本実施形態では、同一形状の第１尖状部１２１を2個、当接凹面１１１１の底部に沿って並べて配置している（図３参照）が、この個数は1個のみであってもよいし、3個以上であってもよい。
【００３４】
第２尖状部１２２は、支持板部１３１２ｂの第１保持部１１１とは反対側の面に取り付けられた、金属（導電性の材料）製の円錐形の針状部材から成る。図３に示すように、本実施形態では、２個の第１尖状部１２１と１個の第２尖状部１２２は一体的に構成されている。
【００３５】
保護筒１５２は樹脂（絶縁体）から成り、スライド部１３１２の支持板部１３１２ｂに固定された、第２尖状部１２２を取り囲む円筒状の部材から成る。これにより、第２尖状部１２２を周囲から電気的に絶縁すると共に、作業者が誤って第２尖状部１２２で怪我をすることを防止している。
【００３６】
第２保持部１１２は保護筒１５２の内周面に位置をずらして固定された、略同一形状の2個の円錐面状の保持部材１１２１Ａ、１１２１Ｂから構成されている。2個の保持部材１１２１Ａ、１１２１Ｂは、いずれも頂部が第２尖状部１２２を向いており、該頂部にそれぞれ、挿通孔１１２２Ａ、１１２２Ｂを有し、且つそれら挿通孔１１２２Ａ、１１２２Ｂから放射状に延びる切れ目１１２３Ａ、１１２３Ｂを複数有する、という構成を備えている。第２保持部１１２のうち、保持部材１１２１Ａ、挿通孔１１２２Ａ、切れ目１１２３Ａから成るものを第２保持部１１２Ａと表示し、保持部材１１２１Ｂ、挿通孔１１２２Ｂ、切れ目１１２３Ｂから成るものを第２保持部１１２Ｂと表示する。第２保持部１１２Ａの保持部材１１２１Ａは保護筒１５２の端部の内周面に固定又は保護筒１５２と一体成形されており、挿通孔１１２２Ａが第２尖状部１２２の先端と対向している。一方、第２保持部１１２Ｂの保持部材１１２１Ｂは、第２尖状部１２２の先端部分が挿通孔１１２２Ｂに進入するように、保護筒１５２の端部よりも支持板部１３１２ｂ側の内周面に固定されている。
【００３７】
なお、詳しくは後述する動作説明から明らかなように、挿通孔１１２２Ａ及び切れ目１１２３Ａは、第２誘導部１３２としての役割を有する。また、保持部材１１２１Ａ及び１１２１Ｂは第２固定部１４２としての役割を有する。
【００３８】
可撓板１５１は前述の保護部材に該当し、支持板部１３１２ｂに固定された、断面Ｊ字状であって可撓性を有する材料から成る板状部材であって、第１尖状部１２１を挟んで2枚の可撓板１５１が対称配置されている。可撓板１５１の材料には金属や樹脂等を用いることができる。可撓板１５１はスライド部１３１２の支持板部１３１２ｂに固定されており、それにより、支持板部１３１２ｂに取り付けられている第１尖状部１２１と一体的に移動するようになっている。なお、可撓板１５１と支持板部１３１２ｂが同じ材料から成る場合には、支持板部１３１２ｂと可撓板１５１を一体成形したものを用いることができる。2枚の可撓板１５１は、先端部が第１尖状部１２１の刃先１２１１に両側から接し、且つ、円弧状面の頂部が該刃先１２１１よりも第１保持部１１１側に突出するように構成されている。このような構成により、第１尖状部１２１は、これら2枚の可撓板１５１の間から刃先１２１１の先端のみが露出し、それ以外の部分は可撓板１５１で覆われる。このため、作業者が誤って刃先１２１１で怪我をすることが防止される。
【００３９】
(1-2) 第１実施形態の被覆電線接続コネクタの動作（使用方法）
上述した被覆電線接続コネクタを用いて第１被覆電線Ｌ１と第２被覆電線Ｌ２を接続する動作について説明する。
まず、第１被覆電線Ｌ１の外周面を第１保持部１１１の当接凹面１１１１に当接させる（図１参照）。次に、スライド部１３１２をガイド部１３１１に沿って第１保持部１１１側に移動させる。これにより、第１尖状部１２１及び可撓板１５１が、スライド部１３１２とともに第１保持部１１１側に移動し、まずは可撓板１５１の円弧状面が第１被覆電線Ｌ１の外周面に接触する（図４）。このため、第１被覆電線Ｌ１は、当接凹面１１１１の2つの平面と2枚の可撓板１５１によって保持される。
【００４０】
この状態からさらにスライド部１３１２を第１保持部１１１側に移動させると、可撓板１５１が第１被覆電線Ｌ１の外周面に押し付けられて撓み、第１尖状部１２１が第１被覆電線Ｌ１の外周面の所定位置（当接凹面１１１１の底部と第１尖状部１２１の先端を結ぶ線上の位置）に、該第１被覆電線Ｌ１に垂直な方向から突き刺さる。ここで、第１被覆電線Ｌ１が第１保持部１１１及び2枚の可撓板１５１によって保持されているうえに、撓んだ可撓板１５１によって第１被覆電線Ｌ１が第１保持部１１１側に押しつけられるため、第１尖状部１２１が第１被覆電線Ｌ１に突き刺さるときに該第１被覆電線Ｌ１が回転したり第１被覆電線Ｌ１の長手方向に位置ずれしたりすることが防止される。
【００４１】
そして、さらにスライド部１３１２を第１保持部１１１側に移動させると、第１尖状部１２１は第１被覆電線Ｌ１内に押し込まれ、第１被覆電線Ｌ１内の電線に該電線の中心を通るように刺入する。このため、第１被覆電線Ｌ１内の電線と第１尖状部１２１が確実に接触して電気的に接続される（図５）。ここで第１尖状部１２１が当接凹面１１１１の底部と平行な刃先を有する扁平な刃であるため、第１被覆電線Ｌ１の外周面から刺入する第１尖状部１２１と電線との接触面積を大きくすることができ、大電力用の太い被覆電線に好適に用いることができる。なお、小電力用の細い被覆電線には、第１尖状部１２１の先端付近のみを刺入することで対応することができる。
【００４２】
また、第１保持部１１１側に移動させたスライド部１３１２は、爪部１４１２が爪係止部１４１１中でノッチに係止されるため、第１保持部１１１の反対側には容易に移動しない。したがって、第１尖状部１２１と第１被覆電線Ｌ１の相対的な位置が固定されて第１尖状部１２１が第１被覆電線Ｌ１から抜けることが防止されるため、第１尖状部１２１と第１被覆電線Ｌ１内の電線が電気的に接続された状態を維持することができる。なお、第１被覆電線Ｌ１を取り外す際には、爪部１４１２の基端部をガイド部１３１１側に向かって押すことで爪部１４１２の先端をノッチから外し、スライド部１３１２を第１保持部１１１の反対側に移動させる。
【００４３】
次に、第２保持部１１２の保持部材１１２１Ａ、１１２１Ｂの挿通孔１１２２Ａ、１１２２Ｂよりも外径が大きい第２被覆電線Ｌ２を用意し、この第２被覆電線Ｌ２を挿通孔１１２２Ａ及び挿通孔１１２２Ｂに順に押し込む。これにより、まずは保持部材１１２１Ａの切れ目１１２３Ａが拡がり、第２被覆電線Ｌ２が切れ目１１２３Ａ同士の間の部分に案内されて真っ直ぐ第２尖状部１２２に接近する。そして、第２尖状部１２２が第２被覆電線Ｌ２の端面のほぼ中心に突き刺さり、さらに第２被覆電線Ｌ２を押し込むことにより保持部材１１２１Ｂの切れ目１１２３Ｂが拡がり、第２被覆電線Ｌ２に第２尖状部１２２が刺入される。これにより、第２尖状部１２２と第２被覆電線Ｌ２内の電線が電気的に接続される（図５）。ここで第２尖状部１２２が円錐形の針状部材であることから、第２尖状部１２２に第２被覆電線Ｌ２を深く押し込むほど、該第２被覆電線Ｌ２の単位長さ当たりの第２尖状部１２２と電線との接触面積が大きくなる。また、第２尖状部１２２に第２被覆電線Ｌ２が刺入しているとき、保持部材１１２１Ａ、１１２１Ｂの切れ目１１２３Ａ、１１２３Ｂが拡がって保持部材１１２１Ａ、１１２１Ｂの挿通孔１１２２Ａ、１１２２Ｂの周辺部分が変形し、該周辺部分が第２被覆電線Ｌ２に押しつけられるため、第２被覆電線Ｌ２が保持部材１１２１Ａ、１１２１Ｂに保持される。
【００４４】
このように、第１尖状部１２１と第１被覆電線Ｌ１の電線、及び第２尖状部１２２と第２被覆電線Ｌ２の電線が電気的に接続されると、第１尖状部１２１と第２尖状部１２２が一体的形成されていることから、第１被覆電線Ｌ１の電線と第２被覆電線Ｌ２の電線は、第１尖状部１２１及び第２尖状部１２２を介して電気的に接続される。
【００４５】
なお、ここでは第１尖状部１２１と第１被覆電線Ｌ１の電線を電気的に接続した後に、第２尖状部１２２と第２被覆電線Ｌ２の電線を電気的に接続するように記載したが、その逆の順で接続を行ってもよい。
【００４６】
第１実施形態の被覆電線接続コネクタ１０によれば、第１被覆電線Ｌ１内の電線と第１尖状部１２１、及び第２被覆電線Ｌ２内の電線と第２尖状部１２２を確実に電気的に接続することができる。
【００４７】
また、第１実施形態の被覆電線接続コネクタ１０によれば、以下に示すように、様々な径の被覆電線と尖状部（第１尖状部１２１及び第２尖状部１２２）を接続することができる。
第１保持部１１１では、当接凹面１１１１の断面がＶ字状になっていることから、2面で第１被覆電線Ｌ１が保持される。第１被覆電線Ｌ１の径が異なると当接凹面１１１１に接触する位置が異なるが、図６(a-1)〜(a-3)に示すように、どのような径の第１被覆電線Ｌ１でも該第１被覆電線Ｌ１を当接凹面１１１１の2面と接触させることにより、その電線の略中心を第１尖状部１２１が通過して両者を電気的に接続することができる。
第２保持部１１２では、挿通孔１１２２Ａ、１１２２Ｂから放射状に延びる切れ目１１２３Ａ、１１２３Ｂを有することから、図６(b-1)〜(b-3)に示すように、挿通孔１１２２Ａ、１１２２Ｂに挿通される第２被覆電線Ｌ２の径に応じて切れ目１１２３Ａ、１１２３Ｂが拡がるように保持部材１１２１Ａ、１１２１Ｂが変形する。このため、様々な径の第２被覆電線Ｌ２を第２保持部１１２の挿通孔１１２２Ａ、１１２２Ｂに挿通して、電線と第２尖状部１２２を電気的に接続することができる。
【００４８】
このように、１つの被覆電線接続コネクタ１０により様々な径の被覆電線に対応することができるため、被覆電線の径毎に異なるコネクタを用意する必要がなく、コネクタの在庫管理が容易になる。また、接続したい2本の被覆電線の径を自由に組み合わせることができる。
【００４９】
さらに、第１実施形態の被覆電線接続コネクタ１０によれば、2本の被覆電線を接続するために、基本的には工具を使用する必要がなく、使用者の手のみにより容易に作業を行うことができる。
【００５０】
第１尖状部１２１は第１被覆電線Ｌ１の外周面に刺し込まれることから、第１被覆電線Ｌ１の任意の位置で第１尖状部１２１と電線を電気的に接続することができる。また、第１被覆電線Ｌ１の両端に他のコネクタ（本発明のものであってもよいし、それ以外のものであってもよい）を接続したうえで、第１尖状部１２１を第１被覆電線Ｌ１の外周面に突き刺すことができる。
【００５１】
(2) 第２実施形態
(2-1) 第２実施形態の被覆電線接続コネクタの構成
図７は、第２実施形態の被覆電線接続コネクタ２０の断面図である。この被覆電線接続コネクタ２０は、第１保持部２１１及び第１尖状部２２１等を有する第１コネクタ２０１と、第２保持部２１２及び第２尖状部２２２等を有する第２コネクタ２０２とを有する。第１コネクタ２０１と第２コネクタ２０２は互いに別体であるが、後述のように連結することができ、その際には第１尖状部２２１と第２尖状部２２２が電気的に接続されるようになっている。
【００５２】
第１コネクタ２０１の第１保持部２１１、及び第２コネクタ２０２の第２保持部２１２はいずれも、第１実施形態の被覆電線接続コネクタ１０における第２保持部１１２と同様の構成を有する。すなわち、第１保持部２１１は、円錐面状の保持部材２１１１の頂部に挿通孔２１１２が設けられており、第２保持部２１２は、円錐面状の保持部材２１２１の頂部に挿通孔２１２２が設けられている。挿通孔２１１２の径と挿通孔２１２２の径は同じでも良く、異なっていても良い。保持部材２１１１、２１２１にはそれぞれ、挿通孔２１１２、２１２２から外側に延びる切れ目２１１３、２１２３が設けられている。第１実施例の第２保持部１１２と同様に、挿通孔２１１２及び切れ目２１１３は第１誘導部２３１の役割を併せ持ち、挿通孔２１２２及び切れ目２１２３は第２誘導部２３２の役割を併せ持っている。また、保持部材２１１１は第１固定部２４１の役割を併せ持ち、保持部材２１２１は第２固定部２４２の役割を併せ持っている。
【００５３】
第１尖状部２２１は、第１実施形態の被覆電線接続コネクタ１０における第２尖状部１２２と同様に円錐形の針状の形状を有しており、先端が第１保持部２１１の挿通孔２１１２に対向するように配置されている。第２尖状部２２２の形状及び配置は第１尖状部２２１と同様である。
【００５４】
第１尖状部２２１の円錐の側方には、第１保持部２１１側に刃先を有する平坦な第１被覆部切断刃２７１が設けられている。同様に、第２尖状部２２２の円錐の側方には、第２保持部２１２側に刃先を有する平坦な第２被覆部切断刃２７２が設けられている。
【００５５】
第１尖状部２２１の基端部（第１保持部２１１と反対側の端部）には、該第１尖状部２２１を取り囲む円筒状の保護筒２５１が取り付けられており、その内周面に第１保持部２１１が固定されている。同様に、第２尖状部２２２の基端部には、第２尖状部２２２を取り囲む円筒状の保護筒２５２が取り付けられており、その内周面に第２保持部２１２が固定されている。
【００５６】
第１尖状部２２１の基端部には、導電性の材料から成る円柱状の雄連結部２６１が、該第１尖状部２２１と一体に形成されている。雄連結部２６１の外周面には全周に亘って切り欠き２６１１が形成されている。雄連結部２６１の形状は、従来の丸形ギボシ端子の雄の形状を応用したものである。また、第２尖状部２２２の基端部には、雌連結部２６２が設けられている。雌連結部２６２は、非導電性の材料から成る円筒内に、導電性の材料から成り雄連結部２６１の外径と略同一の内径を有する円筒状の導電部２６２０が設けられたものである。導電部２６２０は、第２尖状部２２２と電気的に接続されている。導電部２６２０の内周面の前記切り欠き２６１１と対応する位置には、突出部２６２１が設けられている。このため、雌連結部２６２を雌連結部２６２に挿入すると、突出部２６２１が切り欠き２６１１に係合し、雄連結部２６１の側面が雌連結部２６２の導電部２６２０に接触して第１尖状部２２１と第２尖状部２２２が雄連結部２６１を介して電気的に接続される。
【００５７】
(2-2) 第２実施形態の被覆電線接続コネクタの動作（使用方法）
上述した被覆電線接続コネクタを用いて２本の被覆電線を接続する手順は以下の通りである。
まず、第１コネクタ２０１において、第１保持部２１１の保持部材２１１１の挿通孔２１１２に、該挿通孔２１１２よりも径が大きい第１被覆電線Ｌ１を押し込む。これにより、切れ目２１１３が拡がり、第１被覆電線Ｌ１が切れ目２１１３同士の間の部分に案内されて真っ直ぐ第１尖状部２２１に接近する。そして、第１尖状部２２１が第１被覆電線Ｌ１の端面のほぼ中心に突き刺さり、さらに第１被覆電線Ｌ１を押し込むと、第１被覆電線Ｌ１の被覆部に第１被覆部切断刃２７１によって切れ込みが形成される。この切れ込みは、第１尖状部２２１が第１被覆電線Ｌ１の端面に進入することにより押し拡げられるため、第１尖状部２２１は第１被覆電線Ｌ１内の奥まで容易に刺入することができる。また、第１尖状部２２１と電線の接触面積を大きくすることができ、それにより大電力の送電に対応することができる。第２コネクタ２０２においても同様にして、第２尖状部２２２が第２被覆電線Ｌ２の端面から該第２被覆電線Ｌ２内の奥まで刺入される。これらの操作により、第１尖状部２２１と第１被覆電線Ｌ１内の電線、及び第２尖状部２２２と第２被覆電線Ｌ２内の電線がそれぞれ、電気的に接続される。
【００５８】
また、第１実施形態と同様に、第１尖状部２２１に刺入された第１被覆電線Ｌ１、第２尖状部２２２に刺入された第２被覆電線Ｌ２は、それぞれ保持部材２１１１、２１２１の挿通孔の周辺部分が第１被覆電線Ｌ１、第２被覆電線Ｌ２に押しつけられることにより、保持部材２１１１、２１２１に保持される。
【００５９】
さらに、雄連結部２６１を雌連結部２６２に挿入し、雄連結部２６１の切り欠き２６１１を雌連結部２６２の突出部２６２１に係合させる。これにより、雄連結部２６１の側面が雌連結部２６２の導電部２６２０に接触し、第１被覆電線Ｌ１の電線と第２被覆電線Ｌ２の電線が第１尖状部２２１、雄連結部２６１、導電部２６２０及び第２尖状部２２２を介して電気的に接続される。このように第１被覆電線Ｌ１の電線と第２被覆電線Ｌ２の電線が電気的に接続された状態を図８に示す。
【００６０】
第２実施形態の被覆電線接続コネクタ２０によれば、第１被覆電線Ｌ１内の電線と第１尖状部２２１、及び第２被覆電線Ｌ２内の電線と第２尖状部２２２を確実に電気的に接続することができる。また、第２実施形態の被覆電線接続コネクタ２０は、第１実施形態の被覆電線接続コネクタ１０と同様に、第１及び第２被覆電線Ｌ１、Ｌ２と第１及び第２尖状部２２１、２２２の接続作業時に基本的に工具を使用する必要がないうえに、様々な径の被覆電線に対して使用することができる。さらに、第２実施形態では、第１コネクタ２０１の雄連結部２６１を第２コネクタ２０２の雌連結部２６２に挿入するだけで、第１尖状部２２１と第２尖状部２２２を電気的に接続することができる。従来の被覆電線接続コネクタでは通常、ギボシ端子が用いられており、ギボシ端子のかしめ部分をかしめてギボシ端子と電線を接続する際に工具が必要になるうえに、かしめの操作に失敗してギボシ端子と電線の電気的な接触が不十分になることがある。それに対して本実施形態では、上述のように工具が不要となるうえに、不慣れな操作者であっても失敗することなく確実に、第１尖状部２２１を介して雄連結部２６１と第１被覆電線Ｌ１を、及び第２尖状部２２２を介して雌連結部２６２と第２被覆電線Ｌ２を、それぞれ電気的に接続することができる。
【００６１】
(3) その他
本発明は上記第１実施形態及び第２実施形態には限定されず、種々の変形が可能である。例えば、図９に示すように、第１実施形態の被覆電線接続コネクタ１０における保護筒１５２の端部に蓋３１を装着することができる。蓋３１は、ゴムやシリコーン等の弾性を有する材料から成り、保護筒１５２の外径よりも内径がわずかに小さい円筒と、その一端が円形の閉鎖面３１１で閉鎖された構成を有する。閉鎖面３１１の円の中心には、第２保持部１１２に保持可能な第２被覆電線Ｌ２の径よりも小さい径を有する孔３１２が設けられている。第２被覆電線Ｌ２を孔３１２に挿通させたうえで、蓋３１を保護筒１５２に装着する。もしくは、蓋３１を保護筒１５２に装着した後、蓋３１の孔３１２に第２被覆電線Ｌ２に挿通する。これにより、水等が保護筒１５２内に侵入することを防止することができる。このような蓋は、第２実施形態の被覆電線接続コネクタ２０にも装着することができる。
【００６２】
また、図１０(a)に示すように、第１実施形態の被覆電線接続コネクタ１０における2枚の可撓板１５１の代わりに、1枚の可撓板（保護部材）１５１Ａを湾曲させ、湾曲面の内側に第１尖状部１２１を配置することで第１尖状部１２１を可撓板１５１Ａで挟んだ構成を取ることもできる。可撓板１５１Ａには、第１尖状部１２１の刃先１２１に対向する位置に孔１５１Ａ１が設けられている。孔１５１Ａ１は、扁平な第１尖状部１２１の形状に合わせたスリット状の形状を有しており、スリットの長さ及び幅は該第１尖状部１２１の根元の寸法よりもわずかに大きい。可撓板１５１Ａが第１尖状部１２１と一体的に移動し、第１尖状部１２１が第１被覆電線Ｌ１の外周面に突き刺さると、可撓板１５１Ａが撓み、撓んだ可撓板１５１Ａによって第１被覆電線Ｌ１が第１保持部１１１側に押しつけられる（図１０(b)）ため、第１被覆電線Ｌ１が回転したり第１被覆電線Ｌ１の長手方向に位置ずれしたりすることが防止される。
【００６３】
あるいは、図１１(a)に示すように、可撓板１５１又は１５１Ａの代わりに、第１尖状部１２１の周囲を覆うように可撓ブロック１５１Ｂを保護部材として設けてもよい。可撓ブロック１５１Ｂの材料には、可撓性を有し、且つ伸縮性に富んだゴムやシリコーン等を用いる。可撓ブロック１５１Ｂは、本実施形態では直方体状の形状を有し、その直方体のうちの1つの面１５１Ｂ１を刃先１２１１の位置に合わせて第１保持部１１１に対向させるように設けられている。
【００６４】
この構成によれば、スライド部１３１２をガイド部１３１１に沿って第１保持部１１１側に移動させると、可撓ブロック１５１Ｂは第１尖状部１２１と一体的に移動し、前記1つの面１５１Ｂ１が第１被覆電線Ｌ１の外周面に接触して当接凹面１１１１の2つの平面と共に第１被覆電線Ｌ１を保持する。この状態からさらにスライド部１３１２を第１保持部１１１側に移動させると、第１尖状部１２１が第１被覆電線Ｌ１の外周面の所定位置から刺入される。それと共に、可撓ブロック１５１Ｂは圧縮されて第１被覆電線Ｌ１の外周面に押しつけられる（図１１(b)）ことから、第１被覆電線Ｌ１の外周面に密着する。これにより、第１尖状部１２１の周囲や第１被覆電線Ｌ１内に水等が侵入することを防止することができる。特に、可撓ブロック１５１Ｂの材料としてブチルゴムを用いることにより、防水性を高くすることができる。この可撓ブロック１５１Ｂを用いた構成においてさらに、前述のように保護筒１５２の端部に蓋３１を装着すれば、第２尖状部１２２の周囲や第２被覆電線Ｌ２内に水等が侵入することも防止することができるため、防水性が一層高くなる。
【００６５】
図１２に示すように、第１実施形態の被覆電線接続コネクタ１０において、第２尖状部１２２、第２保持部１１２Ａ、１１２Ｂ及び保護筒１５２の代わりに、それらを当接凹面１１１１の断面Ｖ字状の谷に平行な軸の回りに90°回転させた状態で配置された第２尖状部１２２Ａ、第２保持部１１２Ａ１、１１２Ｂ１及び保護筒１５２Ａを設けてもよい。この構成によれば、第１保持部１１１に保持される第１被覆電線Ｌ１と第２保持部１１２Ａ１、１１２Ｂ１に保持される第２被覆電線Ｌ２は互いに平行に配置される。
【００６６】
被覆電線接続コネクタ１０の第１尖状部１２１及び第２尖状部１２２、並びに被覆電線接続コネクタ２０の第１尖状部２２１及び第２尖状部２２２の形状は上記のものには限定されず、角錐状等の種々の形状を取り得る。
【００６７】
被覆電線接続コネクタ１０の第１保持部１１１における当接凹面１１１１の断面形状は、上の角度90°で交差するＶ字状のものには限定されず、例えば90°以外の角度で交差するＶ字状や、半円状等とすることができる。
【００６８】
第１実施形態では、第２保持部１１２を2個の保持部材１１２１Ａ、１１２１Ｂから構成し、第２誘導部１３２を挿通孔１１２２Ａ及び切れ目１１２３Ａから構成したが、1組の保持部材１１２１Ａ、挿通孔１１２２Ａ及び切れ目１１２３Ａから第２保持部及び第２誘導部を構成することができる。第２実施形態の第１保持部及び第１誘導部、並びに第２保持部及び第２誘導部も同様である。
【００６９】
上記実施形態では第１被覆電線の外周面に突き刺す尖状部と第２被覆電線の端部に突き刺す尖状部を組み合わせたもの（第１実施形態）及び第１被覆電線、第２被覆電線共に尖状部を被覆電線の端部に突き刺すもの（第２実施形態）を示したが、被覆電線の外周面に突き刺す尖状部を2個組み合わせても良い。この場合、2個の尖状部を互いに背向するように設けることにより、第１被覆電線と第２被覆電線は互いに平行に配置される。
【００７０】
第２実施形態の被覆電線接続コネクタ２０では、第１コネクタ２０１と第２コネクタ２０２を雄連結部２６１及び雌連結部２６２から成る連結部で電気的に接続したが、連結部の構成はそれには限定されない。例えば、第１コネクタ２０１及び第２コネクタ２０２にそれぞれ平板状の接触端子を設け、両者を接触させることによって電気的に接続するコネクタとしてもよい。また、従来のギボシ端子の雄部及び雌部から連結部を構成しても良い。この場合は、第１コネクタと第２コネクタの連結作業に工具が必要となるが、従来の被覆電線接続コネクタ（ギボシ端子）と互換性を有することになる。
【００７１】
第２実施形態の被覆電線接続コネクタ２０では、第１コネクタ２０１と第２コネクタ２０２に分割可能とし、針状部材から成る第１尖状部２２１を第１コネクタ２０１に、同じく針状部材から成る第２尖状部２２２を第２コネクタ２０２に、それぞれ設けたが、針状部材から成る2個の尖状部を一体成形したものを（分割されない）1個のコネクタに設けてもよい。また、第１実施形態の被覆電線接続コネクタ１０において、第２保持部１１２、第２尖状部１２２、及び保護筒１５２を合わせたものを第２コネクタとして他の部分（第１コネクタ）と分割し、第１尖状部１２１及び第２尖状部１２２のいずれか一方に雄連結部（第２実施形態における雄連結部２６１と同様のもの）を電気的に接続し、他方に雌連結部（同・雌連結部２６２と同様のもの）を電気的に接続するようにしてもよい。これら雄連結部と雌連結部を連結することにより、第１尖状部１２１と第２尖状部１２２が電気的に接続される。
【００７２】
第１実施形態の被覆電線接続コネクタ１０において、第２保持部（兼、第２固定部）１１２から第２被覆電線Ｌ２を取り外すために、図１３に示す、以下の取り外し具４０を用いることができる。この場合、保護筒１５２には可撓性を有する材料から成るものを用いる。取り外し具４０は、可撓性を有する材料から成る筒４１の軸方向に2本の溝４２１、４２２を互いに対向するように設けた構成を有する。筒４１の一端付近には、長方形の板をＶ字状に折り曲げてその両端をそれぞれ溝４２１を挟んだ筒４１の側面に接続した押圧部４３を有する。筒４１の軸方向に垂直な断面は、やや偏平な円形状の形状を有し、短径はa1であって保護筒１５２の外径a2よりも僅かに短くなっている。
【００７３】
取り外し具４０の使用方法は以下の通りである。第２保持部（兼、第２固定部）１１２に第２被覆電線Ｌ２が固定されている状態で、溝４２２を通して第２被覆電線Ｌ２を筒４１内に配置したうえで、溝４２１、４２２の幅を拡げつつ筒４１内に保護筒１５２を挿入するように、筒４１を保護筒１５２に装着する。そのうえで、押圧部４３を指でつまんでＶ字の幅を狭めるように押圧することにより、筒４１が歪むと共に保護筒１５２が歪み、第２被覆電線Ｌ２に対する第２保持部１１２の保持部材１１２１Ａの先端が第２被覆電線Ｌ２を押し付ける力が弱まり、第２保持部１１２から第２被覆電線Ｌ２を取り外す（引き抜く）ことができる。なお、取り外し具４０は、第２実施形態の被覆電線接続コネクタ２０に取り付けられた第１被覆電線Ｌ１や第２被覆電線Ｌ２を取り外す際にも用いることができる。なお、取り外し具４０は、被覆電線を取り外す時に保護筒１５２に装着してもよいし、保護筒１５２に常時装着しておいてもよい。
【００７４】
ここまでに述べた例以外にも、本発明は種々の変形をすることが可能である。
【符号の説明】
【００７５】
１０、２０…被覆電線接続コネクタ
１１１、２１１…第１保持部
１１１１…当接凹面
１１２、１１２Ａ、１１２Ｂ、１１２Ａ１、１１２Ｂ１、２１２…第２保持部
１１２１Ａ、１１２１Ｂ、２１１１、２１２１…保持部材
１１２２Ａ、１１２２Ｂ、２１１２、２１２２…挿通孔
１１２３Ａ、１１２３Ｂ、２１１３、２１２３…保持部材の切れ目
１２１、２２１…第１尖状部
１２１１…第１尖状部の刃先
１２２、１２２Ａ、２２２…第２尖状部
１３１、２３１…第１誘導部
１３１１…ガイド部
１３１２…スライド部
１３１２ａ…スライド部の筒状部
１３１２ｂ…スライド部の支持板部
１３２、２３２…第２誘導部
１４１、２４１…第１固定部
１４１１…爪係止部
１４１２…爪部
１４２、２４２…第２固定部
１５１、１５１Ａ…可撓板（保護部材）
１５１Ｂ…可撓ブロック（保護部材）
１５１Ｂ１…可撓ブロックの1つの面
１５２、２５１、２５２…保護筒
２０１…第１コネクタ
２０２…第２コネクタ
２６１…雄連結部
２６１１…雄連結部の切り欠き
２６２…雌連結部
２６２１…雌連結部の突出部
２７１…第１被覆部切断刃
２７２…第２被覆部切断刃
３１…蓋
３１１…閉鎖面
３１２…閉鎖面の孔
４０…取り外し具
４１…取り外し具の筒
４２１、４２２…取り外し具の溝
４３…押圧部
【図１】
2020035559.tif 000003
【図２】
2020035559.tif 000004
【図３】
2020035559.tif 000005
【図４】
2020035559.tif 000006
【図５】
2020035559.tif 000007
【図６】
2020035559.tif 000008
【図７】
2020035559.tif 000009
【図８】
2020035559.tif 000010
【図９】
2020035559.tif 000011
【図１０】
2020035559.tif 000012
【図１１】
2020035559.tif 000013
【図１２】
2020035559.tif 000014
【図１３】
2020035559.tif 000015